(57)【要約】【課題】縁石本体の外面に反射体等の外面体を容易に且つ低コストに取付可能な縁石を提供する。【解決手段】縁石１は、コンクリート又はモルタルよりなる縁石本体２と、該縁石本体２の外面に接着剤により接着された外面体４とからなる。外面体４は、外面が施釉された施釉セメントよりなる。外面体４の上面部４ａに凸部６，８が設けられており、各凸部６，８には、それぞれ、リフレクタ６ａ，６ｂ及び８ａ，８ｂが取り付けられている。【選択図】図３
2005350998.tif 000002
【特許請求の範囲】
【請求項１】
コンクリート又はモルタル製の縁石本体と、該縁石本体の外面の少なくとも一部を構成する施釉された外面体とを有し、該外面体が該縁石本体に接着剤で接着されていることを特徴とする縁石。
【請求項２】
請求項１において、該外面体は施釉セメント又は陶磁器であることを特徴とする縁石。
【請求項３】
請求項１又は２において、該外面体に反射体が設けられていることを特徴とする縁石。
【発明の詳細な説明】
【技術分野】
【０００１】
本発明は、道路の車道の境界線等に設置される縁石に係り、特に、自動車の運転者等からの視認性を向上させるよう構成された縁石に関する。
【背景技術】
【０００２】
道路の車道の境界線等に設置される縁石の被視認性を高めるために、該縁石外面にリフレクタ等の反射体を設けることが広く行われている。
【０００３】
このような反射体の縁石への取付構造として、特開平１１−２６４１２１号公報には、縁石外面にボルト等のアンカー部材によって反射体を取り付けることが記載されている。
【特許文献１】特開平１１−２６４１２１号公報
【発明の開示】
【発明が解決しようとする課題】
【０００４】
上記特開平１１−２６４１２１号公報の縁石にあっては、反射体にボルト等のアンカー部材を設ける必要があり、コスト高である。また、このアンカー部材を縁石に固定するのに手間がかかる。
【０００５】
本発明は、視認性に優れた縁石を低コストにて提供することを目的とする。
【課題を解決するための手段】
【０００６】
本発明（請求項１）の縁石は、コンクリート又はモルタル製の縁石本体と、該縁石本体の外面の少なくとも一部を構成する施釉された外面体とを有し、該外面体が該縁石本体に接着剤で接着されていることを特徴とするものである。
【０００７】
本発明（請求項２）の縁石は、請求項１において、該外面体は施釉セメント又は陶磁器であることを特徴とするものである。
【０００８】
本発明（請求項３）の縁石は、請求項１又は２において、該外面体に反射体が設けられていることを特徴とするものである。
【発明の効果】
【０００９】
本発明の縁石にあっては、縁石本体の外面に外面体を取り付けるに当り、該縁石本体の外面に接着剤によって外面体が接着されるので、外面体をきわめて容易に縁石本体に取り付けることができ、且つ低コストである。
【００１０】
なお、本発明の縁石は、コンクリート又はモルタル製の縁石本体の外面の少なくとも一部が施釉された外面体により構成されているので、被視認性が高いと共に、美麗であり、しかも耐久性に優れたものとなる。この施釉された外面体は、耐水性、耐熱性、耐紫外線性、耐磨耗性、耐擦過性に優れ、タイヤが繰り返し接触しても長期にわたり美観を保つ。
【００１１】
この外面体としては、安価で且つ成形が容易であることから施釉セメント又は陶磁器が好適である。
【００１２】
本発明においては、この外面体にリフレクタ等の反射体を設けてもよい。これにより、縁石の夜間等における被視認性を一層高めることができる。
【発明を実施するための最良の形態】
【００１３】
以下、図面を参照して本発明の実施の形態について説明する。
【００１４】
第１図（ａ）は実施の形態に係る縁石の上面図（第１図（ｂ）のＡ−Ａ線矢視図）、第１図（ｂ）はこの縁石の立面図（第１図（ａ）のＢ−Ｂ線矢視図）、第２図（ａ）はこの縁石の左側面図（第１図（ｂ）のIIＡ−IIＡ線矢視図）、第２図（ｂ）はこの縁石の右側面図（第１図（ｂ）のIIＢ−IIＢ線矢視図）であり、第３図はこの縁石の斜視図である。
【００１５】
この縁石１は、コンクリート又はモルタルよりなる縁石本体２と、該縁石本体２の外面に接着剤（図示略）により接着された外面体４とからなる。該外面体４は、施釉セメントよりなり、外面（縁石本体２に取り付けられた状態において外部に露出する面）が施釉されている。
【００１６】
該縁石本体２は、水平方向に長い略直方体形状のものであり、上面２ａ及び下面２ｂと、該縁石本体２の長手方向に延在する１対の側面２ｃ，２ｄと、該長手方向の両端面２ｅ，２ｆとを有する。
【００１７】
外面体４は、この実施の形態では断面Ｌ字形の板状のものであり、該縁石本体２の上面２ａから一方の側面２ｃにかけて配置されている。即ち、この外面体４は、該縁石本体２の上面２ａに沿って配置される上面部４ａと、該上面部４ａの一方の側縁から略下方に向って延出しており、該縁石本体２の側面１ｃに沿って配置される側面部４ｂとを有している。この上面部４ａの上面と側面部４ｂの表側面とが施釉されている。第１図（ａ），（ｂ）に示すように、該上面部４ａ及び側面部４ｂは、それぞれ、該縁石本体２の長手方向の一端付近から他端付近にかけて連続して該上面２ａ及び側面２ｃを覆う長方形板状となっている。
【００１８】
この実施の形態では、該上面部４ａの長手方向の一端付近と他端付近とから、それぞれ上方に向って凸部６，８が突設されている。各凸部６，８は略台形状となっており、縁石本体２の長手方向であって互いに反対方向を向く１対の第１の側面と、該第１の側面と略直交方向を向く１対の第２の側面とを有している。これらの凸部６，８の各第１の側面に、それぞれ、ガラス等よりなるリフレクタ６ａ，６ｂ及び８ａ，８ｂが取り付けられている。
【００１９】
この実施の形態では、該外面体４の上面部４ａ、側面部４ｂ及び各凸部６，８は一体に成形されている。この外面体４は、施釉セメントよりなり、セメント、骨材及び必要に応じ粘土、ガラス質成分、あるいは繊維状物質等を原料とし、水で混練して成形し、養生し、次いで施釉した後焼成することにより製造される。
【００２０】
この成形方法としてはプレス成形が好適である。養生を行うには、気中養生した後にオートクレーブ養生を施すのが好ましい。オートクレーブ養生後に乾燥処理して釉薬を塗布、スプレー等により付着させ、次いで焼成するのが好ましい。
【００２１】
施釉に用いる釉薬としては、６００〜１０００℃特に８００〜９００℃程度の焼成温度のものが好適である。
【００２２】
この焼成後は、水中に浸漬して水和させ、さらに養生するのが好ましい。
【００２３】
なお、外面体４は施釉された陶磁器よりなるものであってもよい。
【００２４】
この外面体４を縁石本体２に取り付けるに当っては、該外面体４の上面部４ａの下面及び側面部４ｂの裏側面にそれぞれ接着剤を付着させ、該上面部４ａ及び側面部４ｂをそれぞれ縁石本体２の上面２ａ及び側面２ｃに貼り付ける。
【００２５】
この接着剤としては、耐水性エポキシ系接着剤、変成シリコーン樹脂などが好適である。
【００２６】
この縁石１にあっては、外面体４が接着剤によって縁石本体２の外面に接着されるため、該外面体４をきわめて容易に且つ低コストにて縁石本体２に取り付けることができる。
【００２７】
この縁石１は、縁石本体２の上面２ａ及び側面２ｃに沿って、施釉された外面体４が配置されているので、自動車の運転者等からの視認性が高いと共に、美麗であり、しかも耐久性に優れたものとなる。この施釉された外面体４は、耐水性、耐熱性、耐紫外線性、耐磨耗性、耐擦過性に優れ、タイヤが繰り返し接触しても長期にわたり美観を保つ。
【００２８】
しかも、この実施の形態では、外面体４にリフレクタ６ａ，６ｂ及び８ａ，８ｂが設けられているので、縁石１は夜間等においても視認性が格段に高いものとなっている。
【００２９】
この実施の形態では、外面体４は縁石本体２の上面２ａから一方の側面２ｃにかけて配置されているが、本発明においては、外面体の配置はこれに限定されるものではない。例えば、第４，５図の縁石１Ａのように縁石本体の上面に沿ってのみ外面体が配置されてもよく、一方の側面のみ、あるいは３面以上の複数の面にわたって外面体が配置されてもよい。
【００３０】
第４図（ａ），（ｂ），（ｃ）は別の実施の形態に係る縁石１Ａの正面図、平面図及び右側面図であり、第５図はこの縁石１Ａの斜視図である。
【００３１】
この縁石１Ａにおいては、平たい板状の外面体１０が接着剤（図示略）により縁石本体２の上面２ａに接着されている。この外面体１０は、図示の通り、該縁石本体２の長手方向の一端付近から他端付近にかけて連続して該上面２ａを覆う長方形状のものとなっている。この外面体１０も、施釉セメントよりなり、その上面が施釉されている。
【００３２】
この実施の形態では、該外面体１０の長手方向の一端付近から上方に向って略台形状の凸部１２が突設されており、この凸部１２に、該縁石本体２の長手方向であって互いに反対方向を向くようにリフレクタ１２ａ，１２ｂが設けられている。
【００３３】
この外面体１０を備えた縁石１Ａのその他の構成は前述の第１〜３図の縁石１と同様となっており、この縁石１Ａにあっても、縁石１と同様の作用効果が奏される。
【００３４】
上記の各実施の形態では、外面体にリフレクタが設けられているが、リフレクタは省略されてもよい。外面体にリフレクタを設ける場合、その個数や配置、各リフレクタの向き等は図示の構成に限定されるものではない。
【００３５】
本発明においては、複数個の外面体を縁石本体の外面に配置してもよい。
【００３６】
外面体の形状は、図示以外の形状、例えば円盤状や突起状など種々の形状を採用することができる。
【００３７】
外面体の色調は、単色であってもよく、模様を有していてもよい。
【００３８】
外面体に設ける反射体は、ガラス製リフレクタ以外のものであってもよく、反射だけでなく蛍光機能等を持つ材料製とされてもよい。外面体に反射体と蛍光体とを設けてもよい。
【図面の簡単な説明】
【００３９】
【図１】実施の形態に係る縁石の上面図及び立面図である。
【図２】図１の縁石の側面図である。
【図３】図１の縁石の斜視図である。
【図４】別の実施の形態に係る縁石の構成図である。
【図５】図４の縁石の斜視図である。
【符号の説明】
【００４０】
１，１Ａ  縁石
２  縁石本体
４，１０  外面体
４ａ  上面部
４ｂ  側面部
６，８，１２  凸部
６ａ，６ｂ，８ａ，８ｂ，１２ａ，１２ｂ  リフレクタ
【図１】
2005350998.tif 000003
【図２】
2005350998.tif 000004
【図３】
2005350998.tif 000005
【図４】
2005350998.tif 000006
【図５】
2005350998.tif 000007